【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
太陽歯車に遊星レバーを介して遊星歯車を連結し、この遊星歯車と遊星レバー間に負荷トルクを与える構成を有した遊星機構において、
前記遊星歯車と前記遊星レバーとを平座を介して畳重し、
前記遊星レバーの外側に前記遊星レバーを介して前記負荷トルクを与える圧縮ばねを設け、前記遊星レバー或いは前記遊星歯車の磨耗によって前記圧縮ばねの全長が長くなっても、前記負荷トルクが弱まることがないように、前記圧縮ばねのばね定数を設定した、
ことを特徴とする遊星機構。
【請求項２】
正逆回転自在に構成された太陽歯車の太陽歯車軸に遊星レバーの一端を連結し、この遊星レバーの他端を太陽歯車に噛み合う遊星歯車の遊星歯車軸に連結し、太陽歯車が正転または逆転に切り替わるとき、太陽歯車軸を中心に遊星レバーと一体に遊星歯車が揺動し、この遊星歯車の噛み合いが第一歯車または第二歯車のいずれかに切り替わる構成を有した遊星機構において、
前記遊星歯車と前記遊星レバーとを平座を介して畳重し、
前記遊星レバーの外側に前記遊星レバーを介して前記負荷トルクを与える圧縮ばねを設け、前記遊星レバー或いは前記遊星歯車の磨耗によって前記圧縮ばねの全長が長くなっても、前記負荷トルクが弱まることがないように、前記圧縮ばねのばね定数を設定した、
ことを特徴とする遊星機構。
【請求項３】
太陽歯車に遊星レバーを介して遊星歯車を連結し、前記太陽歯車と遊星レバー間に負荷トルクを与える構成を有した遊星機構において、
前記太陽歯車と前記遊星レバーとを平座を介して畳重し、
前記遊星レバーの外側に前記遊星レバーを介して前記負荷トルクを与える圧縮ばねを設け、前記遊星レバー或いは前記太陽歯車の磨耗によって前記圧縮ばねの全長が長くなっても、前記負荷トルクが弱まることがないように、前記圧縮ばねのばね定数を設定した、
ことを特徴とする遊星機構。
【請求項４】
正逆回転自在に構成された太陽歯車の太陽歯車軸に遊星レバーの一端を連結し、この遊星レバーの他端を太陽歯車に噛み合う遊星歯車の遊星歯車軸に連結し、太陽歯車が正転または逆転に切り替わるとき、太陽歯車軸を中心に遊星レバーと一体に遊星歯車が揺動し、この遊星歯車の噛み合いが第一歯車または第二歯車のいずれかに切り替わる構成を有した遊星機構において、
前記太陽歯車と前記遊星レバーとを平座を介して畳重し、
前記遊星レバーの外側に前記遊星レバーを介して前記負荷トルクを与える圧縮ばねを設け、前記遊星レバー或いは前記太陽歯車の磨耗によって前記圧縮ばねの全長が長くなっても、前記負荷トルクが弱まることがないように、前記圧縮ばねのばね定数を設定した、
ことを特徴とする遊星機構。
【請求項５】
正逆回転駆動されるキャリッジ駆動モータに連結されたキャリッジ駆動プーリと、このプーリにベルトを介して連結されたキャリッジ従動プーリとを有し、このキャリッジ従動プーリの出力を得て、当該キャリッジ従動プーリが正転または逆転のいずれの方向に回転しても、その回転を所定の同一方向の回転に変換して、その回転力をインクリボンのリボン駆動軸に与える遊星機構を有した記録装置において、
この遊星機構が、
キャリッジ従動プーリに連結された正逆回転自在な太陽歯車を有し、
この太陽歯車の太陽歯車軸に遊星レバーの一端を連結し、この遊星レバーの他端を太陽歯車に噛み合う遊星歯車の遊星歯車軸に連結し、太陽歯車が正転または逆転に切り替わるとき、太陽歯車軸を中心に遊星レバーと一体に遊星歯車が揺動して、この遊星歯車の噛み合いが第一歯車または第二歯車のいずれかに切り替わり、いずれに切り替わった場合であっても、第一歯車または第二歯車に噛み合うラチェットが所定の同一方向に回転し、その回転力がインクリボンのリボン駆動軸に与えられる構成を有し、
さらに前記遊星歯車と前記遊星レバーとを平座を介して畳重し、
前記遊星レバーの外側に前記遊星レバーを介して前記負荷トルクを与える圧縮ばねを設け、前記遊星レバー或いは前記遊星歯車の磨耗によって前記圧縮ばねの全長が長くなっても、前記負荷トルクが弱まることがないように、前記圧縮ばねのばね定数を設定した、
ことを特徴とする記録装置。
【請求項６】
正逆回転駆動されるキャリッジ駆動モータに連結されたキャリッジ駆動プーリと、このプーリにベルトを介して連結されたキャリッジ従動プーリとを有し、このキャリッジ従動プーリの出力を得て、当該キャリッジ従動プーリが正転または逆転のいずれの方向に回転しても、その回転を所定の同一方向の回転に変換して、その回転力をインクリボンのリボン駆動軸に与える遊星機構を有した記録装置において、
この遊星機構が、
キャリッジ従動プーリに連結された正逆回転自在な太陽歯車を有し、
この太陽歯車の太陽歯車軸に遊星レバーの一端を連結し、この遊星レバーの他端を太陽歯車に噛み合う遊星歯車の遊星歯車軸に連結し、太陽歯車が正転または逆転に切り替わるとき、太陽歯車軸を中心に遊星レバーと一体に遊星歯車が揺動して、この遊星歯車の噛み合いが第一歯車または第二歯車のいずれかに切り替わり、いずれに切り替わった場合であっても、第一歯車または第二歯車に噛み合うラチェットが所定の同一方向に回転し、その回転力がインクリボンのリボン駆動軸に与えられる構成を有し、
さらに前記太陽歯車と前記遊星レバーとを平座を介して畳重し、
前記遊星レバーの外側に前記遊星レバーを介して前記負荷トルクを与える圧縮ばねを設け、前記遊星レバー或いは前記太陽歯車の磨耗によって前記圧縮ばねの全長が長くなっても、前記負荷トルクが弱まることがないように、前記圧縮ばねのばね定数を設定した、
ことを特徴とする記録装置。
【手続補正２】
【補正対象書類名】明細書
【補正対象項目名】００１０
【補正方法】変更
【補正の内容】
【００１０】
【課題を解決するための手段】
請求項１に記載の発明は、太陽歯車に遊星レバーを介して遊星歯車を連結し、この遊星歯車と遊星レバー間に負荷トルクを与える構成を有した遊星機構において、前記遊星歯車と前記遊星レバーとを平座を介して畳重し、前記遊星レバーの外側に前記遊星レバーを介して前記負荷トルクを与える圧縮ばねを設け、前記遊星レバー或いは前記遊星歯車の磨耗によって前記圧縮ばねの全長が長くなっても、前記負荷トルクが弱まることがないように、前記圧縮ばねのばね定数を設定した、ことを特徴とする。


【手続補正３】
【補正対象書類名】明細書
【補正対象項目名】００１１
【補正方法】変更
【補正の内容】
【００１１】
請求項２に記載の発明は、正逆回転自在に構成された太陽歯車の太陽歯車軸に遊星レバーの一端を連結し、この遊星レバーの他端を太陽歯車に噛み合う遊星歯車の遊星歯車軸に連結し、太陽歯車が正転または逆転に切り替わるとき、太陽歯車軸を中心に遊星レバーと一体に遊星歯車が揺動し、この遊星歯車の噛み合いが第一歯車または第二歯車のいずれかに切り替わる構成を有した遊星機構において、前記遊星歯車と前記遊星レバーとを平座を介して畳重し、前記遊星レバーの外側に前記遊星レバーを介して前記負荷トルクを与える圧縮ばねを設け、前記遊星レバー或いは前記遊星歯車の磨耗によって前記圧縮ばねの全長が長くなっても、前記負荷トルクが弱まることがないように、前記圧縮ばねのばね定数を設定した、ことを特徴とする。


【手続補正４】
【補正対象書類名】明細書
【補正対象項目名】００１２
【補正方法】変更
【補正の内容】
【００１２】
請求項３に記載の発明は、太陽歯車に遊星レバーを介して遊星歯車を連結し、前記太陽歯車と遊星レバー間に負荷トルクを与える構成を有した遊星機構において、前記太陽歯車と前記遊星レバーとを平座を介して畳重し、前記遊星レバーの外側に前記遊星レバーを介して前記負荷トルクを与える圧縮ばねを設け、前記遊星レバー或いは前記太陽歯車の磨耗によって前記圧縮ばねの全長が長くなっても、前記負荷トルクが弱まることがないように、前記圧縮ばねのばね定数を設定した、ことを特徴とする。


【手続補正５】
【補正対象書類名】明細書
【補正対象項目名】００１３
【補正方法】変更
【補正の内容】
【００１３】
請求項４に記載の発明は、正逆回転自在に構成された太陽歯車の太陽歯車軸に遊星レバーの一端を連結し、この遊星レバーの他端を太陽歯車に噛み合う遊星歯車の遊星歯車軸に連結し、太陽歯車が正転または逆転に切り替わるとき、太陽歯車軸を中心に遊星レバーと一体に遊星歯車が揺動し、この遊星歯車の噛み合いが第一歯車または第二歯車のいずれかに切り替わる構成を有した遊星機構において、前記太陽歯車と前記遊星レバーとを平座を介して畳重し、前記遊星レバーの外側に前記遊星レバーを介して前記負荷トルクを与える圧縮ばねを設け、前記遊星レバー或いは前記太陽歯車の磨耗によって前記圧縮ばねの全長が長くなっても、前記負荷トルクが弱まることがないように、前記圧縮ばねのばね定数を設定した、ことを特徴とする。


【手続補正６】
【補正対象書類名】明細書
【補正対象項目名】００１４
【補正方法】変更
【補正の内容】
【００１４】
請求項５記載の発明は、正逆回転駆動されるキャリッジ駆動モータに連結されたキャリッジ駆動プーリと、このプーリにベルトを介して連結されたキャリッジ従動プーリとを有し、このキャリッジ従動プーリの出力を得て、当該キャリッジ従動プーリが正転または逆転のいずれの方向に回転しても、その回転を所定の同一方向の回転に変換して、その回転力をインクリボンのリボン駆動軸に与える遊星機構を有した記録装置において、この遊星機構が、キャリッジ従動プーリに連結された正逆回転自在な太陽歯車を有し、この太陽歯車の太陽歯車軸に遊星レバーの一端を連結し、この遊星レバーの他端を太陽歯車に噛み合う遊星歯車の遊星歯車軸に連結し、太陽歯車が正転または逆転に切り替わるとき、太陽歯車軸を中心に遊星レバーと一体に遊星歯車が揺動して、この遊星歯車の噛み合いが第一歯車または第二歯車のいずれかに切り替わり、いずれに切り替わった場合であっても、第一歯車または第二歯車に噛み合うラチェットが所定の同一方向に回転し、その回転力がインクリボンのリボン駆動軸に与えられる構成を有し、さらに前記遊星歯車と前記遊星レバーとを平座を介して畳重し、前記遊星レバーの外側に前記遊星レバーを介して前記負荷トルクを与える圧縮ばねを設け、前記遊星レバー或いは前記遊星歯車の磨耗によって前記圧縮ばねの全長が長くなっても、前記負荷トルクが弱まることがないように、前記圧縮ばねのばね定数を設定した、ことを特徴とする。


【手続補正７】
【補正対象書類名】明細書
【補正対象項目名】００１５
【補正方法】変更
【補正の内容】
【００１５】
請求項６記載の発明は、正逆回転駆動されるキャリッジ駆動モータに連結されたキャリッジ駆動プーリと、このプーリにベルトを介して連結されたキャリッジ従動プーリとを有し、このキャリッジ従動プーリの出力を得て、当該キャリッジ従動プーリが正転または逆転のいずれの方向に回転しても、その回転を所定の同一方向の回転に変換して、その回転力をインクリボンのリボン駆動軸に与える遊星機構を有した記録装置において、この遊星機構が、キャリッジ従動プーリに連結された正逆回転自在な太陽歯車を有し、この太陽歯車の太陽歯車軸に遊星レバーの一端を連結し、この遊星レバーの他端を太陽歯車に噛み合う遊星歯車の遊星歯車軸に連結し、太陽歯車が正転または逆転に切り替わるとき、太陽歯車軸を中心に遊星レバーと一体に遊星歯車が揺動して、この遊星歯車の噛み合いが第一歯車または第二歯車のいずれかに切り替わり、いずれに切り替わった場合であっても、第一歯車または第二歯車に噛み合うラチェットが所定の同一方向に回転し、その回転力がインクリボンのリボン駆動軸に与えられる構成を有し、さらに前記太陽歯車と前記遊星レバーとを平座を介して畳重し、前記遊星レバーの外側に前記遊星レバーを介して前記負荷トルクを与える圧縮ばねを設け、前記遊星レバー或いは前記太陽歯車の磨耗によって前記圧縮ばねの全長が長くなっても、前記負荷トルクが弱まることがないように、前記圧縮ばねのばね定数を設定した、ことを特徴とする。